(57)【要約】    【課題】    長時間の測定で得たデータであっても容易に処理することができるようにする。    【解決手段】    演算・判断部８ａは、検出部２からの測定データを処理し、記憶装置１０により着脱可能な記憶媒体１２に測定データを記憶する。演算・判断部８ａは記憶装置におけるファイルの管理を行なっており、記憶媒体１２への記憶に際し、記憶動作の開始・終了の判断を行ない、所定のタイミングで新たな情報ファイルを別名で作成し、その新たな情報ファイルにその後の情報を記憶させる。    【選択図】  図１
2005241515.tif 000002
【特許請求の範囲】
【請求項１】
検出部の測定データを脱着可能な記憶媒体に記憶することが可能な記憶装置を備えたガス濃度測定装置において、
前記記憶媒体への記憶の開始・終了の判断を行ない、所定のタイミングで新たな情報ファイルを別名で作成し、その新たな情報ファイルにその後の測定データを記憶させる判断部を備えたことを特徴とするガス濃度測定装置。
【請求項２】
前記所定のタイミングは測定データを記憶させるファイルの容量が一定の容量に達したときである請求項１に記載のガス濃度測定装置。
【請求項３】
前記所定のタイミングは一定の時間が経過したときである請求項１に記載のガス濃度測定装置。
【発明の詳細な説明】
【技術分野】
【０００１】
本発明は、燃焼排ガス中のＳＯ2、ＮＯX、ＣＯ、ＣＯ2、Ｏ2等を測定するガス濃度測定装置に関する。
【背景技術】
【０００２】
ガス濃度測定装置では、例えばメモリカードなどの脱着可能な記憶媒体に測定データを記憶させる場合、測定データを記憶したその記憶媒体を測定装置から取り外してパソコンに装着し、記憶媒体から測定データを読み出して、汎用の計算ソフトで測定データの処理、解析、整理を行なって帳票の作成等を行なう。
【発明の開示】
【発明が解決しようとする課題】
【０００３】
ガス濃度測定装置には、比較的短時間測定に用いられるポータブルタイプのものと、長時間の連続測定を行なう定置型タイプの装置があるが、長時間測定したデータを記憶媒体に記憶させた場合、記憶媒体に記憶されている情報ファイルの容量が大きすぎると、パソコンの汎用計算ソフト等で読み出せなかったり、読み出せても汎用計算ソフトでデータ処理を行なうと莫大な時間がかかってしまったりする。
【０００４】
そこで本発明は、長時間の測定で得たデータであっても容易に処理することができるようにすることを目的とするものである。
【課題を解決するための手段】
【０００５】
本発明は、検出部の測定データを脱着可能な記憶媒体に記憶することが可能な記憶装置を備えたガス濃度測定装置であって、前記記憶媒体への記憶の開始・終了の判断を行ない、所定のタイミングで新たな情報ファイルを別名で作成し、その新たな情報ファイルにその後の測定データを記憶させる判断部を備えたことを特徴とするものである。
【０００６】
その場合の所定のタイミングとは、情報ファイルの容量が一定の容量に達するか、又は、一定の時間が経過したときとすることができる。
【発明の効果】
【０００７】
測定データを記憶媒体に記憶中に所定のタイミング、例えば、そのデータを記憶する情報ファイルが一定の容量となるか、又は、適当な時間が経過したときに別名のファイルを作成してそこに新たな測定データを記憶させるようにしたので、測定データを記憶する情報ファイルの容量が大きくなりすぎることを防止し、汎用の解析ソフトで処理する際の不具合を解消することができる。
【発明を実施するための最良の形態】
【０００８】
図１は一実施例のガス分析計におけるデータ記憶に関する部分を機能的に示すブロック図である。
演算・判断部８ａは本発明における判断部を含み、検出部２からの測定データを処理し、記憶装置１０により着脱可能な記憶媒体１２に測定データを記憶する。演算・判断部８ａは記憶装置におけるファイルの管理を行なっており、記憶媒体１２への記憶に際し、記憶動作の開始・終了の判断を行ない、所定のタイミングで新たな情報ファイルを別名で作成し、その新たな情報ファイルにその後の情報を記憶させる。
１４はＬＣＤなどによって構成される出力部であり、１６はキーボードなどの入力部である。
【０００９】
図２は本発明を試料ガス中のＳＯ2、ＮＯX、ＣＯ、ＣＯ2等の濃度を測定する赤外線ガス分析計に適用した一実施例を示すブロック図である。
このガス分析計は、検出部として赤外分析部２ａを備え、赤外分析部２ａに供給する試料ガスの除塵、調湿、流量調整を行なうために試料ガス前処理部４とを備えている。６は試料ガス中の酸素濃度を監視する酸素計であり、試料ガスは切換え弁５によって赤外分析部２ａ又は酸素計６に切り換えて供給され、測定又は監視後に排気される。
電気回路部８は演算・判断部８ａを実現し、赤外分析部２ａからの目的成分濃度に応じた信号を処理し、酸素計６の酸素濃度に応じた信号を処理する。電気回路部８はまた、求めた目的成分濃度に応じたアナログ信号出力を行ない、また、キーボード１６ａから入力された信号に従ってメモリカード装着部１０ａを介して着脱可能な記憶媒体であるメモリーカード１２ａへの書き込みを行ない、ＬＣＤ（表示部）１４ａにより測定濃度を外部に表示する。
【００１０】
このガス分析計に供給される試料ガスは、試料ガス前処理部４で除塵、調湿、流量調整されて赤外分析部２ａに導入される。赤外分析部２ａで目的成分濃度を測定された後、外部に排出される。赤外分析部２ａで測定された濃度データは信号として電気回路部８に送信され、電気回路部８で演算・処理が行なわれた後、メモリカード１２ａに記憶されたりＬＣＤ１４ａに表示されたり、また、外部にアナログ出力される。
また、必要に応じて試料ガスは切換えバルブ５で切り換えられて酸素計６に供給され、酸素濃度が測定される。
【００１１】
電気回路部８からメモリカード１２ａでの測定データの記憶はファイルに保存することで行なわれるが、測定を長期間行なう場合にはそのデータ量は莫大であるため、一つのファイルにすべての測定データを保存すると、容量が大きくなりすぎて、汎用の解析ソフトでは読み取れないといった問題が生じる。そこで、電気回路部８はメモリカード１２ａ内の測定データを保存するファイルの容量が一定の容量になると新たに別名のファイルを作成して測定データを新たなファイルに保存するようにし、莫大な量の測定データを複数の適当な容量のファイルに分割して保存する。
【００１２】
図３はこの実施例における測定データの記憶方法を示すフローチャート図である。
測定を開始して、メモリカード１２ａのファイルに測定データを保存する。測定データを保存しているファイルの容量が一定の容量に達すると新たにファイルを作成して、続きの測定データを新たなファイルに保存する。新たに作成したファイルが一定の容量に達すると、また新たにファイルを作成して続きの測定データをその新たなファイルに保存する。
【００１３】
メモリカード１２ａの記憶方法の例としては、例えば、測定開始時に測定データを保存するファイル名を［００００］として設定する。ファイル［００００］に測定データを保存していき、ファイル［００００］がある設定した容量となると、新たにファイル［０００１］を作成して続きの測定データをファイル［０００１］に保存していく。さらに、ファイル［０００１］が設定した容量になるとファイル［０００２］を新たに作成して続きをファイル［０００２］に保存する。
【００１４】
このようにファイル容量が一定容量に達したときに、新たに別名のファイルを作成して続きを新たなファイルに保存するので、測定後にパソコンの汎用ソフトで測定データを扱う場合に、処理可能で処理負荷が大きくならない程度のファイル容量で測定データを保存することができる。
【００１５】
別の実施例として、測定データを記憶するファイルを一定周期（時間）ごとに更新する。この場合、例えば一週間経過するごとに新たに別名のファイルを作成して、続きの測定データを保存する。一定周期ごとにファイルを更新する方法でも、長期間、ガス濃度測定を行なう場合には、莫大な量の測定データを複数の適度な容量のファイルに分割することができる。
【００１６】
実施例には、記憶媒体としてメモリカードを用いたが、記憶装置としてはフレキシブルディスクディスク、ＣＤ、ＭＯ等の脱着可能な記憶媒体を用いても同様に適用することができる。
【図面の簡単な説明】
【００１７】
【図１】一実施例のガス分析計におけるデータ記憶に関する部分を機能的に示すブロック図である。
【図２】本発明を試料ガス中のＳＯ2、ＮＯX、ＣＯ、ＣＯ2等の濃度を測定する赤外線ガス分析計に適用した一実施例を示すブロック図である。
【図３】同実施例における測定データの記憶方法を示すフローチャート図である。
【符号の説明】
【００１８】
２      検出部
２ａ      赤外分析部
４      試料ガス前処理部
６      酸素計
８      電気回路
８ａ      演算・判断部
１０      記憶装置
１０ａ      メモリカード装着部
１２      記憶媒体
１２ａ      メモリカード
１４ａ      ＬＣＤ
１６ａ      キーボード
【図１】
2005241515.tif 000003
【図２】
2005241515.tif 000004
【図３】
2005241515.tif 000005